(57)【要約】      （修正有）【課題】複雑な配線を行うこと無くＬＥＤモジュールの点灯もしくは点滅を制御し、希望のパターンを演出するために、演出パターンを簡易に変更できるライティングシステムを提供する。【解決手段】各々のＬＥＤ点灯もしくは点滅パターンを決めて、個々のＬＥＤ３を全体的にどのように演出させるのかを制御する各パターンのシステム化を行う。次に、これらの演出パターンに応じた個々のＬＥＤの点灯もしくは点滅を制御するために、各ＬＥＤのＯＮ／ＯＦＦを制御するためのコントローラー部２を備える。併せて、複雑な配線を避けるために並列回路を採用し、個々のＬＥＤとの配線を簡略化させる。【選択図】図２
0003181541.tif 000002
【実用新案登録請求の範囲】
【請求項１】
ＬＥＤへ電気を送り出す１つの制御コントローラーは、１つのプラス電源ケーブルと各ＬＥＤ全てと接続されており、複数のマイナス電源ケーブルは、各ＬＥＤの中から特定のＬＥＤとのみ接続されており、複数のマイナス電源ケーブル個々と接続されているＬＥＤは、それぞれが制御コントローラーにより点灯もしくは点滅をすることができるシステム。
【請求項２】
請求項１のシステムにおいて、制御コントローラー部より送り出される電流の量を上下させることで、点灯もしくは点滅をするＬＥＤの明るさを変えることができる特長を有したシステム。
【請求項３】
請求項１及び２のシステムにおいて、個々のＬＥＤを予め設定した順番に点灯もしくは点滅させる機能及び、点灯もしくは点滅時間を制御する機能を有したシステム。
【請求項４】
請求項１及び２及び３のシステムにおいて、個々のＬＥＤを同時に複数個点灯もしくは点滅させる制御機能を有することで、ＬＥＤの光が流れるように演出させることを特長としたシステム。
【考案の詳細な説明】
【技術分野】
【０００１】本考案は、各種案内板などの電飾看板や店舗内外装などの飾りつけを行うためのイルミネーション、誘導等を目的としたサイン関連の分野において、ＬＥＤを活用したライティングシステムに関する分野である。
【背景技術】
【０００２】街中での飲食店や遊戯施設，商業施設などの外装や、複合施設など大型施設の内装など至るところで様々な電飾看板などが存在している。これらの電飾看板には大きく分けて４種類の演出効果を用いていることが判る。【０００３】１つ目は、看板自体をスポットライトなどの照明機器を用いて照らし、ライトアップしたもので、さらに演出効果を高めるために反射材や蛍光剤などを看板に設置することで、その宣伝効果を高めたりしている。この方法は電飾看板とは違うという声もあるが、ここでは判りやすく説明するために記述をした。【０００４】２つ目は、看板の内側に照明器具を入れて、内部から看板の外側をライトアップすることで、看板自体が点灯する方式。これは一般的であり、建物自体に固定されているものや、移動可能なタイプまで大きさや種類など様々である。【０００５】３つ目は、上記のような一般的な電飾看板に動きを持たせ、工夫を凝らした手法であり、後述するがいくつかの技術が存在する。これらの技術は、顧客へのアイキャッチを目的としたものが多く存在している。【０００６】４つ目は、屋外テレビといった分野で、看板自体がモニターとなって、そのモニターに映像を映し出すことで宣伝やアピールを行う手段である。近年では、このような技術はデジタルサイネージと呼ばれ一歩進んだ技術が話題となっている。【０００７】さて、本考案においての背景技術分野としては、上記３つ目に説明をした電飾看板自体に動きを持たせたもので、従来では電球を交互に点滅させたり、クリスマスツリーなどで用いられているライトアップ方法や、様々な色を持つ電球を点灯もしくは点滅させたりといった方法も存在している。また、近年ではＬＥＤを用いたライトアップも多く存在し、省エネ効果も高いことから多く普及していることも判る。【０００８】このＬＥＤを用いたライトアップ方法については、複数個のＬＥＤモジュールを配置して、それらのＬＥＤモジュールを一斉に点滅させたり、回路を用いて順次点滅させたり、もしくはＲＧＢの色を持つＬＥＤモジュールを点灯や点滅させることで模様やデザインを構成させたりすることもできる。【０００９】他にも、近年ではライトパネルと呼ばれる分野で、携帯電話機のバックライトや薄型テレビなど、さらには店舗看板や各種案内板など多くの分野でこれらの技術が活用されている。
ライトパネル分野については、ＬＥＤなどの光源を照射させて乱反射作用を用いて、結果的にはアクリル板などの内部から光を出すことで看板表面などが光る原理となるので、先にご説明した２つ目の方式の応用編として詳しい説明は割愛する。【００１０】
【特許文献１】特開平１１−１９１４９４
【特許文献２】特開平１１−２４９６０７
【特許文献３】特開２００３−２９７５８８
【特許文献４】特開２００５−３２６４９
【特許文献５】特開２００３−８４６９４
【特許文献６】特開２００５−４４９０７
【特許文献７】特開２００８−２０５８３
【特許文献８】特開２００８−５８３６７
【特許文献９】特開２０１１−７５８４９
【考案の概要】
【００１１】
【考案が解決しようとする課題】
【００１２】従来の技術や先行技術を背景に、本考案が解決しようとする課題を説明する。【００１３】特開平１１−１９１４９４，特開平１１−２４９６０７，特開２００３−２９７５８８，特開２００５−３２６４９にて公開された技術は、各ＬＥＤユニット内に制御ユニットを有していることから製造コストも高く、回路も複雑となり、本件出願とは目的は近いとは思われるが技術が異なる。【００１４】特開２００３−８４６９４にて公開された技術は、単に調光機能や個々のＬＥＤユニットごとに電源供給を分けていることから本件出願の技術とは異なる。【００１５】特開２００５−４４９０７にて公開された技術は、スイッチング方式を用いてＬＥＤの点滅制御をしているが、本件考案による演出効果を行うためのシステムでは無い。【００１６】特開２００８−２０５８３にて公開された技術は、各ＬＥＤの点灯や点滅の誤動作を防止することを目的とした制御回路なので、本件考案による演出効果を行うためのシステムでは無い。【００１７】特開２００８−５８３６７にて公開された技術は、複数個のＬＥＤを１ユニットとして、この１ユニット単位で制御回路を有しており、１ユニットを１点灯もしくは点滅照明として捉えた場合、１ユニット毎に制御回路が必要となることから、本件出願とは異なる。【００１８】特開２０１１−７５８４９にて公開された技術は、面状に配置されたＬＥＤ制御を行う表示システムとなるので、技術が全く異なる。【００１９】このように、ＬＥＤモジュールを用いて動的な点滅を行う方法として、従来の手段では、ＬＥＤモジュールを一個一個配線してその配線を全部まとめて点滅器に繋ぎ制御する方法で、例えば動的な点滅を行うためには、これら個々のＬＥＤモジュールを点滅器（制御コントローラー）でＯＮ／ＯＦＦ制御を行う、モジュール全体として動的な演出を行う方法がある。【００２０】看板製作の現場から、この方法では配線が複雑になることから作業が大変で効率も悪く漏電のリスクも高い、さらにサイズが大きい看板などの場合には安全性やスペース上の問題点も発生するため、これらの課題を解決することが急務となった。【００２１】主な課題としては、複雑な配線を行うこと無くＬＥＤモジュールの点滅を制御し、希望のパターンを演出したい。これらのＬＥＤモジュールとコントローラーをセットとしてシステム化し、演出パターンを簡易で実現できる手段を提供することが求められる。【００２２】これらの課題には、単にハード的な部分のシステム化のみならず、いくつかの演出パターンを実現させるためのソフトウェア部分も本考案の一部として重要となる。
【課題を解決するための手段】
【００２３】本考案のシステムは、次の構成を備える。【００２４】はじめに、各々のＬＥＤ点灯もしくは点滅パターンを決めて、個々のＬＥＤを全体的にどのように演出させるのかを制御する各パターンのシステム化を行う。【００２５】次に、これらの演出パターンに応じた個々のＬＥＤの点灯もしくは点滅を制御するために、各ＬＥＤのＯＮ／ＯＦＦを制御するためのコントローラー部を備える。
併せて、複雑な配線を避けるために並列回路を採用し、個々のＬＥＤとの配線を簡略化させる。【００２６】具体的なシステム内容については、後述、実施例にて詳しく説明を行う。
【考案の効果】
【００２７】本考案の技術を用いることで、従来の電球等を用いた動的な電飾看板などのアイキャッチが簡易にそして、ＬＥＤが持つ消費電力の少なさからも大きな節電効果も生まれる。併せて、ＬＥＤが持つ長寿命の利点も生かして、電飾看板自体の寿命も長くなる。【００２８】そして最も大きな課題となっていた配線の複雑さや施工手間の簡略化、漏電などのリスク軽減、維持・管理費用の削減など様々なメリットが期待できる。【００２９】他にも、従来の方法は個々の演出パターンを出す為には、ノウハウや設定の難しさといったソフトウェア部分での問題点もあったが、本考案ではこれらもシステムの１つとして含まれていることから、誰でも簡単に演出パターンの変更を行うこともできる。
【図面の簡単な説明】
【００３０】
【図１】従来のＬＥＤモジュールの配線概念図である。
【図２】本考案のＬＥＤモジュールの配線概念図である。
【図３】本考案のＬＥＤ点滅式演出パターン例である。
【符号の説明】
【００３１】１  家庭用電源
２  制御コントローラー部
３  ＬＥＤ
４  ＋（プラス）電源
５  −（マイナス）電源ＬＥＤ▲１▼用
６  −（マイナス）電源ＬＥＤ▲２▼用
７  −（マイナス）電源ＬＥＤ▲３▼用
【考案を実施するための形態】
【００３２】
【実施例１】
【００３３】はじめに従来のＬＥＤモジュールと比較をして、本考案の利点を説明する。
図１の「従来のＬＥＤモジュールの配線概念図」を参照されたい。
このように個々のＬＥＤと点滅器が接続されていることが判る。このような方式の場合には、ＬＥＤの数が多くなればなる程、配線が複雑になり、それぞれのＬＥＤを制御させるために点滅器の回路が複雑となり、誤作動や熱を持つことでの故障なども懸念される。
また、当然に配線の数が多くなることからコストアップにも繋がり、収納場所の問題も懸念される。【００３４】次に、図２の「本考案のＬＥＤモジュールの配線概念図」を参照されたい。
本図２は、「１  家庭用電源」に差し込むコンセント部と、各ＬＥＤの制御を演出パターンに応じてコントロールする「２  制御コントローラー部」、複数個接続される「３  ＬＥＤ」、これらの「３  ＬＥＤ」と接続されている「４  ＋（プラス）電源」および個々のＬＥＤ番号に応じて接続される「５  −（マイナス）電源ＬＥＤ▲１▼用」・「６  −（マイナス）電源ＬＥＤ▲２▼用」・「７  −（マイナス）電源ＬＥＤ▲３▼用」より構成される本考案品の実施例である。【００３５】「２  制御コントローラー部」は、「１  家庭用電源」より供給されたＡＣ１００Ｖ電源をＤＣ１２Ｖに変換して各「３  ＬＥＤ」へ送られる。【００３６】本実施例においてはＬＥＤパターンを３種類として構成しているため、「２  制御コントローラー部」からの「−（マイナス）」電源は３本となり、配線ケーブルは「＋（プラス）」と合わせて計４本の線が１つにまとまったものが、各ＬＥＤへのケーブルとなっている。【００３７】ここで、３種類（▲１▼・▲２▼・▲３▼）の「３  ＬＥＤ」は、各々が別々の「−（マイナス）」電源と接続されており、「５  −（マイナス）電源ＬＥＤ▲１▼用」はＬＥＤ▲１▼と接続され、同じく「６  −（マイナス）電源ＬＥＤ▲２▼用」はＬＥＤ▲２▼，「７  −（マイナス）電源ＬＥＤ▲３▼用」はＬＥＤ▲３▼と接続されている。【００３８】次に、「２  制御コントローラー部」では、ＬＥＤ▲１▼，ＬＥＤ▲２▼，ＬＥＤ▲３▼をそれぞれ単体で点灯もしくは点滅することが可能な制御システムを有しており、またこれらの各ＬＥＤをどのような順番で何秒間点灯させるのかといった演出パターンを予め記憶されたソフトウェア情報も含まれる。さらには、調光という機能を持たせることで、送り出される電流の量を制御させることで明るさの調整を行うことも可能となる。【００３９】次に、図３の「本考案のＬＥＤ点滅式演出パターン例」を参照されたい。
ここでは、先に説明した各ＬＥＤの点灯もしくは点滅を制御させる「２  制御コントローラー部」に記憶された演出パターンの例である。【００４０】（Ａ）２点１滅式回転モード（順方向）の場合には、ＬＥＤ▲１▼ＯＮ・ＬＥＤ▲２▼ＯＮ・ＬＥＤ▲３▼ＯＦＦ⇒ＬＥＤ▲１▼ＯＦＦ・ＬＥＤ▲２▼ＯＮ・ＬＥＤ▲３▼ＯＮ⇒ＬＥＤ▲１▼ＯＮ・ＬＥＤ▲２▼ＯＦＦ・ＬＥＤ▲３▼ＯＮを繰り返すことで、順番に点滅を繰り返す各ＬＥＤを一連の流れとして視覚的に見ることができることから、ＬＥＤの光が順方向に流れているように見える。
ここで注目頂きたい点は、２点１滅式のように複数のＬＥＤモジュールを同時に点灯または点滅させることで、従来の１点１滅式イルミネーション方式と比べて、光が流れるように表現できることから、このような回転モードなどにおいては、より演出効果を高めることができる。【００４１】同じく（Ｂ）２点１滅式回転モード（逆方向）パターンでは、制御の順序を逆にすることで、逆方向へ流れているように見える。【００４２】（Ｃ）ＯＮ／ＯＦＦ繰り返しモードの場合には、全てのＬＥＤが点滅を繰り返す演出となる。
（Ｄ）ＯＮ／ＯＦＦ繰り返しモード（調光）の場合には、調光機能を有するため、徐々に明るくなったり暗くなったりといった演出となる。【００４３】このように、単に３種類のＬＥＤ制御であっても、その点灯または点滅パターンや時間を制御させることで、様々な演出パターンを有することが可能となる。
【産業上の利用可能性】
【００４４】本考案による製品は、従来の電飾看板業界や、室内でのイルミネーション効果を演出させたい先など幅広い用途での導入が期待される。
新規分野ではイベントなどの短期的な催し物を開催される場所などにおいては、コンセントに差し込み、予め登録されている演出パターンを選択するだけのシステム化された製品となるため容易に設置が可能となり採用も期待できる。
【図１】
0003181541.tif 000003
【図２】
0003181541.tif 000004
【図３】
0003181541.tif 000005